(57)【特許請求の範囲】
【請求項１】
一端がヨークに固定的に設けられ環状に配列された複数のコアと、前記複数のコアのそれぞれに装着された複数のコイルと、前記コアのそれぞれに対向配置されてプリントワイヤを駆動する複数のアーマチュアと、前記アーマチュアと前記ヨークとの間に設けられ、かつ、前記アーマチュアと前記ヨークとの間に磁束路を形成する天板と、前記アーマチュアの前記コアに対する接離方向の起伏動作を案内する案内部と、前記天板における前記案内部の近傍に配置されて前記アーマチュアの前記プリントワイヤとは反対側の端部付近の平坦面を起伏自在に支持するエッジ状の支点部とを備えるワイヤドットプリンタヘッド。
【請求項２】
前記案内部は、前記コイルを保持するボビンケースから突出されて前記アーマチュアに形成されたガイド孔に嵌合されたガイドピンにより形成され、前記支点部は、環状に配列された複数の前記コアの環中心と前記ガイドピンの中心とを結ぶ直線に対して直交し、かつ、前記ガイドピンの中心を通る直線に一致するように前記天板の外周縁に切欠された複数の切欠のそれぞれのエッジにより形成され、前記支点部の中心には前記ガイドピンとの干渉を避ける非干渉部が形成されている請求項１記載のワイヤドットプリンタヘッド。
【請求項３】
前記アーマチュアと前記天板との間には非磁性材により形成されたフィルムが介装されている請求項１又は２記載のワイヤドットプリンタヘッド。
【発明の詳細な説明】
【０００１】
【発明の属する技術分野】
本発明は、ワイヤドットプリンタヘッドに関する。
【０００２】
【従来の技術】
従来、一端がヨークに固定的に設けられ環状に配列された複数のコアのそれぞれにコイルを装着し、コアの他端にプリントワイヤを駆動するアーマチュアを対向配置し、コイルに通電しアーマチュアを変位させてプリントワイヤをプラテン上の用紙に衝突させるようにしたワイヤドットプリンタヘッドがある。
【０００３】
その一例を図５に示す。図５はワイヤドットプリンタヘッドの一部の断面図で、コア１０１とアーマチュア１０２とは一つしか図示しないが、実際にはヨーク１０３の中心に対して放射状に配設されている。コア１０１にはコイル１０４を支持するボビンケース１０５が装着され、このボビンケース１０５にはガイドピン１０６が一体に形成されている。アーマチュア１０２はコア１０１に対向する可動鉄心１０７と、ガイドピン１０６に嵌合されたガイド孔１０８とを有する。アーマチュア１０２とヨーク１０３との間に磁束路を形成する天板である。この天板１０９は全てのアーマチュア１０２の可動鉄心１０７に嵌合される複数の窓孔１１０を備えて円板の形に形成され、その外周のやや内側の平面はアーマチュア１０２の後端縁を起伏自在に支える支点部１１１とされている。そして、アーマチュア１０２は支点部１１１から浮かないように支点押え（環状のゴム）１１２により押圧されている。１１３は後端がアーマチュア１０２に当接されたプリントワイヤである。このプリントワイヤ１１３はスプリング１１４により印字方向とは反対側に付勢されている。
【０００４】
次に動作について説明する。非駆動時は、アーマチュア１０２はスプリング１１４の付勢力により退避状態に維持されるプリントワイヤ１１３に押されてコア１０１から離反する状態に維持される。この離反位置は図示しないストッパにより定められる。そして、特定のコイル１０４に電流を流すと、コア１０１、可動鉄心１０７、天板１０９、ヨーク１０３、コア１０１を磁束が通るため、アーマチュア１０２はガイドピン１０６により案内されながら支点部１１１を支点としてコア１０１に吸引される。これにより、プリントワイヤ１１３がスプリング１１４を圧縮方向に撓ませながらプラテン（図示せず）方向に移動し、その先端がプラテン上の用紙にインクリボンを介して衝突する。これにより、印字がなされる。コイル１０４への通電は瞬時で直ぐに通電が遮断されるため、プリントワイヤ１１３はプラテンからの反力とスプリング１１４の付勢力とにより後方に復帰し、アーマチュア１０２をコア１０１から離反させる。
【０００５】
【発明が解決しようとする課題】
一般に、天板１０９はアーマチュア１０２より硬度が低い磁性材料により形成されているので、上述のようにアーマチュア１０２の後端のエッジ部を天板１０９の平面上の支点部１１１で支えると、繰り返しの使用によって天板１０９がアーマチュア１０２のエッジにより削られて溝状に掘られてしまう。また、ガイドピン１０６に嵌合されるガイド孔１０８とアーマチュア１０２の回動中心となる後端のエッジとが離れているため、ガイドピン１０６の外周面とガイド孔１０８の内側とが擦れ摩耗し易い。また、この摩耗の状態が進行するアーマチュア１０２の起伏動作が一定しなくなり印字品質に影響が生ずる。
【０００６】
本発明は、アーマチュアを起伏自在に支持する支点部の摩耗を防止し得るワイヤドットプリンタヘッドを提供することを目的とする。
【０００７】
【課題を解決するための手段】
請求項１記載の発明は、一端がヨークに固定的に設けられ環状に配列された複数のコアと、前記複数のコアのそれぞれに装着された複数のコイルと、前記コアのそれぞれに対向配置されてプリントワイヤを駆動する複数のアーマチュアと、前記アーマチュアと前記ヨークとの間に設けられ、かつ、前記アーマチュアと前記ヨークとの間に磁束路を形成する天板と、前記アーマチュアの前記コアに対する接離方向の起伏動作を案内する案内部と、前記天板における前記案内部の近傍に配置されて前記アーマチュアの前記プリントワイヤとは反対側の端部付近の平坦面を起伏自在に支持するエッジ状の支点部とを備える。
したがって、アーマチュアは案内部により起伏動作を案内されながら天板の支点部を支点として起伏される。この起伏動作に際し、天板は支点部によりアーマチュアの平坦面を支えるためアーマチュアの後端のエッジ部には干渉しない。
【０００８】
請求項２記載の発明は、請求項１記載の発明において、前記案内部は、前記コイルを保持するボビンケースから突出されて前記アーマチュアに形成されたガイド孔に嵌合されたガイドピンにより形成され、前記支点部は、環状に配列された複数の前記コアの環中心と前記ガイドピンの中心とを結ぶ直線に対して直交し、かつ、前記ガイドピンの中心を通る直線に一致するように前記天板の外周縁に切欠された複数の切欠のそれぞれのエッジにより形成され、前記支点部の中心には前記ガイドピンとの干渉を避ける非干渉部が形成されている。
したがって、アーマチュアはガイドピンにより起伏動作を案内されながら天板の支点部を支点として起伏される。この起伏動作に際し、ガイドピンは支点部の一致する位置でアーマチュアの起伏動作を案内する。
【０００９】
請求項３記載の発明は、請求項１又は２記載の発明において、前記アーマチュアと前記天板との間には非磁性材により形成されたフィルムが介装されている。したがって、長期間使用しても支点部の摩耗を防止することが可能となり、さらに、コアとアーマチュアとの間に発生する残留磁気による影響を軽減することが可能となる。
【００１０】
【発明の実施の形態】
本発明の一実施の形態を図１ないし図４に基づいて説明する。まず、図１及び図２を参照してワイヤドットプリンタヘッドＰＨの構造について説明する。図中、１はハウジングである。このハウジング１には、複数のプリントワイヤ２の先端及び中間を摺動自在に支持するワイヤガイド３，４が設けられている。また、ハウジング１の中間部にはフランジ５が形成され、ハウジング１の後端部にはボス６が形成され、このボス６の基部側の周囲にはプリントワイヤ２の後端部を摺動自在に支持する複数のガイド孔７が形成されている。ハウジング１のフランジ５には、コネクタ８を介して外部回路に接続される配線基板９と、それぞれ磁性体により形成されたヨーク１０及び天板１１と、フィルム１２とが積層されている。
【００１１】
ヨーク１０には複数のコア１３が一体に形成され、これらのコア１３にはコイル１４を保持する絶縁性のボビンケース１５が装着されている。各コア１３に対向する複数のアーマチュア１６は円柱状の可動鉄心１７を有し、これらの可動鉄心１７は天板１１及びフィルム１２の一部を貫通してコア１３に対向配置されている。各アーマチュア１６はボス６の中心軸に対して放射状に配列され、その一端がゴム等の弾性部材によって形成された環状の支点押え１８によりフィルム１２の一面に押えられている。各プリントワイヤ２はスプリング１９により後方に付勢されてフイルム１２を介してアーマチュア１６の自由端側を押圧する。アーマチュア１６の自由端側の背面に当接されてアーマチュア１６の復帰位置を定める環状のストッパ２０はリアカバー２１に支持されている。そして、花弁型の板ばね２２の中心がねじ２３とナット２４とによりハウジング１のボス６に固定されている。これにより、配線基板９、ヨーク１０、支点押え１８、リアカバー２１が、ハウジング１のフランジ５と板ばね２２との間で挾持されている。
【００１２】
ここで、図３に示すように、磁性体によって形成された天板１１には、アーマチュア１６の可動鉄心１７をコア１３側に突出させる窓孔１１ａと、外周から突出されてヨーク１０の外周側の開口縁１０ａとの間に磁束路を形成する複数の接続部１１ｂと、これらの接続部１１ｂの間に切欠された切欠１１ｃと、窓孔１１ａの間において放射状に配置されたスリット状の開口１１ｄとが形成されている。さらに、アーマチュア１６の長手方向と直交する切欠１１ｃの一部のエッジはアーマチュア１６を直線上で起伏自在に支える支点部１１ｅとして機能する。この支点部１１ｅの中心には非干渉部１１ｆが形成されている。この非干渉部１１ｆは、ガイドピン１５ａとの干渉を防止するために機能するものである。本実施の形態では、ガイドピン１５ａが円柱状形状をしているので、その形状に合わせて半円形の形状に形成され、その半径の中心は直線の支点部１１ｅ上に一致されている。そして、前述したボビンケース１５には、非干渉部１１ｆ及びアーマチュア１６に形成されたガイド孔１６ａに突出するガイドピン１５ａが一体に形成されている。すなわち、アーマチュア１６を起伏自在に支える支点部１１ｅと、アーマチュア１６に形成したガイド孔１６ａ嵌合されてこのアーマチュア１６を案内するガイドピン１５ａの中心とは同一直線上に配置されている。
【００１３】
次に、動作について説明する。非駆動時は、アーマチュア１６はスプリング１９の付勢力により退避状態に維持されるプリントワイヤ２に押されてコア１３から離反する状態に維持される。この離反位置はストッパ２０により定められる。そして、特定のコイル１４に電流を流すと、コア１３、可動鉄心１７、天板１１、天板１１、ヨーク１０、ヨーク１０、コア１３を磁束が通るため、アーマチュア１６はガイドピン１５ａにより案内されながら支点部１１ｅを支点としてコア１３に吸引される。これにより、プリントワイヤ２がスプリング１９を圧縮方向に撓ませながらプラテン（図示せず）方向に移動し、その先端がプラテン上の用紙にインクリボンを介して衝突する。これにより、印字がなされる。コイル１４への通電は瞬時で直ぐに通電が遮断されるため、プリントワイヤ２はプラテンからの反力とスプリング１９の付勢力とにより後方に復帰し、アーマチュア１６をコア１３から離反させる。
【００１４】
この場合、天板１１は支点部１１ｅによりアーマチュア１６の平坦面を支えるためアーマチュア１６の後端のエッジ部には干渉しない。したがって、天板１１をアーマチュア１６の硬度より低い硬度の磁性材料で形成しても支点部１１ｅの摩耗を防止することができる。
【００１５】
さらに、図４に示すように、ガイドピン１５ａの中心の位置が直線の支点部１１ｅの位置と一致するので、アーマチュア１６が起伏動作をするときにガイドピン１５ａの軸心と直交する方向の動きを極めて小さくすることができる。これにより、ガイド孔１６ａの内周面とガイドピン１５ａの外周面との擦れ合いを防止し、ガイドピン１５ａの摩耗を防止することがでできる。
【００１６】
さらに、アーマチュア１６と天板１１との間には非磁性材により形成されたフィルム１２が介装されているので、長期間使用しても支点部１１ｅの摩耗を防止することができ、さらに、コア１３とアーマチュア１６との間に発生する残留磁気による影響をフィルム１２により軽減することができる。
【００１７】
なお、本実施の形態では、プリントワイヤ２の後端を単にアーマチュア１６に当接させる構成であるが、プリントワイヤ２の後端をアーマチュア１６に固着してもよい。また、コア１３はヨーク１０と一体に形成されているが、磁性材により別個に形成したコア１３をヨーク１０に固定的に結合してもよい。
【００１８】
【発明の効果】
請求項１記載の発明は、一端がヨークに固定的に設けられ環状に配列された複数のコアと、前記複数のコアのそれぞれに装着された複数のコイルと、前記コアのそれぞれに対向配置されてプリントワイヤを駆動する複数のアーマチュアと、前記アーマチュアと前記ヨークとの間に設けられ、かつ、前記アーマチュアと前記ヨークとの間に磁束路を形成する天板と、前記アーマチュアの前記コアに対する接離方向の起伏動作を案内する案内部と、前記天板における前記案内部の近傍に配置されて前記アーマチュアの前記プリントワイヤとは反対側の端部付近の平坦面を起伏自在に支持するエッジ状の支点部とを備えるので、アーマチュアを案内部により起伏動作を案内しながら天板の支点部を支点として起伏させることができる。この起伏動作に際し、天板は支点部によりアーマチュアの平坦面を支えるためアーマチュアの後端のエッジ部には干渉しない。したがって、天板上の支点部の摩耗を防止することができる。
【００１９】
請求項２記載の発明は、請求項１記載の発明において、前記案内部は、前記コイルを保持するボビンケースから突出されて前記アーマチュアに形成されたガイド孔に嵌合されたガイドピンにより形成され、前記支点部は、環状に配列された複数の前記コアの環中心と前記ガイドピンの中心とを結ぶ直線に対して直交し、かつ、前記ガイドピンの中心を通る直線に一致するように前記天板の外周縁に切欠された複数の切欠のそれぞれのエッジにより形成され、前記支点部の中心には前記ガイドピンとの干渉を避ける非干渉部が形成されているので、アーマチュアをガイドピンにより起伏動作を案内しながら天板の支点部を支点として起伏させることができれる。この起伏動作に際し、ガイドピンは支点部の一致する位置でアーマチュア起伏動作を案内するので、ガイドピンの摩耗を防止することができる。
【００２０】
請求項３記載の発明は、請求項１又は２記載の発明において、前記アーマチュアと前記天板との間には非磁性材により形成されたフィルムが介装されているので、長期間使用しても支点部の摩耗を防止することができ、さらに、コアとアーマチュアとの間に発生する残留磁気による影響をフィルムにより軽減することができる。
【図面の簡単な説明】
【図１】本発明の一実施の形態におけるワイヤドットプリンタヘッドの全体の構造を示す断面図である。
【図２】ワイヤドットプリンタヘッドの全体の構造を示す分解斜視図である。
【図３】ヨークと天板とフィルムとアーマチュアとの関係を示す分解斜視図である。
【図４】天板の一部をアーマチュアとともに示す平面図である。
【図５】従来のワイヤドットプリンタヘッドの一部を示す断面図である。
【符号の説明】
２  プリントワイヤ
１０  ヨーク
１１  天板
１１ｃ  切欠
１１ｅ  支点部
１１ｆ  非干渉部
１２  フィルム
１３  コア
１４  コイル
１５  ボビンケース
１５ａ  案内部、ガイドピン
１６  アーマチュア
１６ａ  ガイド孔
【図１】
0003690711.tif 000002
【図２】
0003690711.tif 000003
【図３】
0003690711.tif 000004
【図４】
0003690711.tif 000005
【図５】
0003690711.tif 000006